(57)【要約】【課題】よりセキュリティを高めることが可能な電気錠システムを提供する。【解決手段】電気錠システム１０は、非接触キー１を読み取る読取部２ａと第１通信部２ｂと錠前部２ｃとを備えた電気錠２と、記憶部３ａと電気錠２から送信された個体識別情報を表示する表示部３ｃと表示部３ｃに表示された内容に基づいた操作を行うことにより電気錠２に解錠信号を送信する第２通信部３ｂと制御部３ｄとを備えた制御端末機器３と、を有し、電気錠２は、撮像部２ｄを備え、読取部２ａが非接触キー１を読み取った際、非接触キー１の個体識別情報と撮像部２ｄが撮像した使用者の画像とを制御端末機器３に送信し、制御端末機器３は、記憶部３ａに記憶した特定の携帯端末４に、電気錠２の解錠と画像とを通知する。【選択図】図１
2015113605.tif 000002
【特許請求の範囲】
【請求項１】
非接触キーの個体識別情報を読み取る読取部と、該読取部で読み取った個体識別情報を外部に送信する第１通信部と、前記第１通信部が受信した解除信号に基づいて解錠を行う錠前部とを備えた電気錠と、
記憶部と、前記電気錠から送信された個体識別情報を表示する表示部と、該表示部に表示された内容に基づいた操作を行うことにより前記電気錠に解錠信号を送信する第２通信部と、前記表示部および前記第２通信部を制御する制御部とを備えた制御端末機器と、を有し、
前記電気錠は、使用者を撮像する撮像部を備えており、前記読取部が非接触キーの個体識別情報を読み取った際、前記読取部が読み取った非接触キーの個体識別情報と前記撮像部が撮像した使用者の画像とを前記制御端末機器に送信し、
前記制御端末機器は、前記読取部が非接触キーの個体識別情報を読み取った際、前記記憶部に記憶した特定の使用者の携帯端末に、前記電気錠の解錠と前記画像とを通知することを特徴とする電気錠システム。
【請求項２】
前記制御端末機器は、前記電気錠から送信された使用者の顔の前記画像と前記記憶部に予め記憶された使用者の顔の画像とが一致した場合、前記解錠信号を前記電気錠に送信することを特徴とする請求項１に記載の電気錠システム。
【請求項３】
前記電気錠は、使用者の音声情報を取得するマイクロホンを備えており、前記読取部が非接触キーの個体識別情報を読み取った際、個体識別情報と前記マイクロホンで取得した使用者の前記音声情報とを前記制御端末機器に送信し、
前記制御端末機器は、前記電気錠から送信された前記音声情報と前記記憶部に予め記憶された使用者の音声情報とが一致した場合、前記解錠信号を前記電気錠に送信することを特徴とする請求項１または請求項２に記載の電気錠システム。
【請求項４】
前記制御端末機器は、住戸内において、温湿度センサと第３通信部とを備えた家庭内機器とも通信可能であり、
前記制御端末機器は、前記読取部が非接触キーの個体識別情報を読み取った際、前記記憶部に記憶した特定の使用者の携帯端末に前記温湿度センサで測定した温湿度の情報を通知することを特徴とする請求項１ないし請求項３のいずれか１項に記載の電気錠システム。
【請求項５】
前記制御端末機器は、住戸内において、第３通信部を備えた家庭内機器とも通信可能であり、
前記制御端末機器は、前記読取部が非接触キーの個体識別情報を読み取った際、個体識別情報に応じて前記家庭内機器の駆動を制限することを特徴とする請求項１ないし請求項３のいずれか１項に記載の電気錠システム。
【発明の詳細な説明】
【技術分野】
【０００１】
本発明は、電気錠システムに関するものである。
【背景技術】
【０００２】
近年、電気的な信号に基づいて、建物のドアなどに設けた電気錠の施錠や解錠を行う電気錠システムが利用されている。
【０００３】
この種の電気錠システムとしては、ＩＣカードキーにより解錠が行われる電子錠と、ＩＣカードキーによる解錠時に、所定のアドレスにメールを送信するＩＣカード式電子錠システムが知られている（たとえば、特許文献１を参照。）。
【０００４】
図９に示す特許文献１のＩＣカード式電子錠システム１０１では、ＩＣカードキー１１０と、ドア開閉制御装置１２０やドア開閉機構１３０の電気錠、メールサーバ１４０、携帯電話１５０および通信ネットワーク１６０からなっている。ドア開閉制御装置１２０は、ＩＣカードキー１１０がドア近傍のＩＣカード・リード／ライト部にかざされると、ＩＣカードキー１１０の識別コードを読み込む。ドア開閉制御装置１２０は、読み込まれた識別コードと、情報記憶部に格納されている解錠が許可される識別コードとを照合する。ドア開閉制御装置１２０は、照合した識別コードの結果が一致すれば、ドア開閉制御装置１２０に接続しているドア開閉機構１３０によりドアを解錠する。ドア開閉制御装置１２０は、通信ネットワーク１６０を介して、ドア開閉制御装置１２０のアドレス、ＩＣカードキー１１０の識別コードおよびメール送信先のアドレスをメールサーバ１４０に送る。メールサーバ１４０は、受け取ったメール送信先のアドレスの携帯電話１５０にドアが解錠されたことを通知する。
【０００５】
これにより、ＩＣカード式電子錠システム１０１は、所定の鍵による解錠時に自動的に所定の人に連絡をすることが可能になる、としている。
【先行技術文献】
【特許文献】
【０００６】
【特許文献１】特開２００９−２３５８２４号公報
【発明の概要】
【発明が解決しようとする課題】
【０００７】
ところで、電気錠システムでは、よりセキュリティの高いものが求められており、上述のＩＣカード式電子錠システムの構成だけでは十分ではなく、更なる改良が求められている。
【０００８】
本発明は上記事由に鑑みてなされたものであり、その目的は、よりセキュリティを高めることが可能な電気錠システムを提供することにある。
【課題を解決するための手段】
【０００９】
本発明の電気錠システムは、非接触キーの個体識別情報を読み取る読取部と、当該読取部で読み取った個体識別情報を外部に送信する第１通信部と、上記第１通信部が受信した解除信号に基づいて解錠を行う錠前部とを備えた電気錠と、記憶部と、上記電気錠から送信された個体識別情報を表示する表示部と、当該表示部に表示された内容に基づいた操作を行うことにより上記電気錠に解錠信号を送信する第２通信部と、上記表示部および上記第２通信部を制御する制御部とを備えた制御端末機器と、を有し、上記電気錠は、使用者を撮像する撮像部を備えており、上記読取部が非接触キーの個体識別情報を読み取った際、上記読取部が読み取った非接触キーの個体識別情報と上記撮像部が撮像した使用者の画像とを上記制御端末機器に送信し、上記制御端末機器は、上記読取部が非接触キーの個体識別情報を読み取った際、上記記憶部に記憶した特定の使用者の携帯端末に、上記電気錠の解錠と上記画像とを通知することを特徴とする。
【００１０】
この電気錠システムにおいて、上記制御端末機器は、上記電気錠から送信された使用者の顔の上記画像と上記記憶部に予め記憶された使用者の顔の画像とが一致した場合、上記解錠信号を上記電気錠に送信することが好ましい。
【００１１】
この電気錠システムにおいて、上記電気錠は、使用者の音声情報を取得するマイクロホンを備えており、上記読取部が非接触キーの個体識別情報を読み取った際、個体識別情報と上記マイクロホンで取得した使用者の上記音声情報とを上記制御端末機器に送信し、上記制御端末機器は、上記電気錠から送信された上記音声情報と上記記憶部に予め記憶された使用者の音声情報とが一致した場合、上記解錠信号を上記電気錠に送信することが好ましい。
【００１２】
この電気錠システムにおいて、上記制御端末機器は、住戸内において、温湿度センサと第３通信部とを備えた家庭内機器とも通信可能であり、上記制御端末機器は、上記読取部が非接触キーの個体識別情報を読み取った際、上記記憶部に記憶した特定の使用者の携帯端末に上記温湿度センサで測定した温湿度の情報を通知することが好ましい。
【００１３】
この電気錠システムにおいて、上記制御端末機器は、住戸内において、第３通信部を備えた家庭内機器とも通信可能であり、上記制御端末機器は、上記読取部が非接触キーの個体識別情報を読み取った際、個体識別情報に応じて上記家庭内機器の駆動を制限することが好ましい。
【発明の効果】
【００１４】
本発明の電気錠システムは、読取部が非接触キーの個体識別情報を読み取った際、特定の使用者の携帯端末に、電気錠の解錠と画像とを通知することで、よりセキュリティを高めることが可能となる、という効果がある。
【図面の簡単な説明】
【００１５】
【図１】図１は、実施形態１の電気錠システムを示す概略構成図である。
【図２】図２は、実施形態１の電気錠システムを示すブロック図である。
【図３】図３は、実施形態１の電気錠システムの動作を説明する動作説明図である。
【図４】図４は、実施形態２の電気錠システムの動作を説明する動作説明図である。
【図５】図５は、実施形態３の電気錠システムを示す概略構成図である。
【図６】図６は、実施形態３の電気錠システムの動作を説明する動作説明図である。
【図７】図７は、実施形態４の電気錠システムの動作を説明する動作説明図である。
【図８】図８は、実施形態４の電気錠システムの動作を説明する別の動作説明図である。
【図９】図９は、従来のＩＣカード式電子錠システムの構成を示す図である。
【発明を実施するための形態】
【００１６】
（実施形態１）
以下に、本実施形態の電気錠システム１０について、図１ないし図３を用いて説明する。なお、各図においては、同じ部材に対し、同じ番号を付して重複する説明を省略する。
【００１７】
本実施形態の電気錠システム１０は、図１ないし図３に示すように、電気錠２と、制御端末機器３とを有している。なお、図中では、破線の両矢印で、電気錠２、制御端末機器３や携帯端末４が通信できることを例示している。
【００１８】
電気錠２は、非接触キー１の個体識別情報を読み取る読取部２ａと、読取部２ａで読み取った個体識別情報を外部に送信する第１通信部２ｂと、第１通信部２ｂが受信した解除信号に基づいて解錠を行う錠前部２ｃとを備えている。
【００１９】
制御端末機器３は、記憶部３ａと、電気錠２から送信された個体識別情報を表示する表示部３ｃとを備えている。制御端末機器３は、表示部３ｃに表示された内容に基づいた操作を行うことにより電気錠２に解錠信号を送信する第２通信部３ｂと、表示部３ｃおよび第２通信部３ｂを制御する制御部３ｄとを備えている。
【００２０】
本実施形態の電気錠システム１０では、電気錠２は、使用者を撮像する撮像部２ｄを備えている。電気錠２は、読取部２ａが非接触キー１の個体識別情報を読み取った際、読取部２ａが読み取った非接触キー１の個体識別情報と撮像部２ｄが撮像した使用者の画像とを制御端末機器３に送信する。
【００２１】
制御端末機器３は、読取部２ａが非接触キー１の個体識別情報を読み取った際、記憶部３ａに記憶した特定の使用者の携帯端末４に、電気錠２の解錠と画像とを通知する。
【００２２】
本実施形態の電気錠システム１０は、読取部２ａが非接触キー１の個体識別情報を読み取った際、特定の使用者の携帯端末４に、電気錠２の解錠と画像とを通知することで、よりセキュリティを高めることが可能となる。
【００２３】
以下、本実施形態の電気錠システム１０について、より詳細に説明する。
【００２４】
本実施形態の電気錠システム１０では、戸建て住宅に用いられる場合を例として説明する。電気錠システム１０は、戸建て住宅に用いられる場合だけに限らず、たとえば、集合住宅の各住戸、事務所、店舗や各部屋など電気錠２を使用する場合に適用することができる。
【００２５】
非接触キー１は、非接触キー１を使用する使用者ごとに対応する認証用の個体識別情報（以下、認証情報ともいう）を電気錠２に提供可能なものである。非接触キー１は、個体識別情報を記憶できるように構成している。非接触キー１としては、たとえば、非接触式ＩＣカードや非接触式ＩＣタグなどを利用することができる。
【００２６】
非接触キー１は、たとえば、ＩＣチップ１ａとアンテナ部１ｂとを備えた構成とすることができる。ＩＣチップ１ａは、ＩＣチップ１ａの制御を行う中央演算処理装置１ａａと、一時的なデータを読み書きするためのメモリであるＲＡＭ(Random Access Memory)１ａｂとを備えている。ＩＣチップ１ａは、中央演算処理装置１ａａを稼働させるプログラムを記憶する読み出し専用メモリであるＲＯＭ(Read Only Memory)１ａｃを備えている。また、ＩＣチップ１ａは、主としてデータを蓄積する書き換え可能なＥＥＰＲＯＭ(Electrically Erasable Programmable Read Only Memory)などを用いたデータ記憶部１ａｄを備えている。さらに、ＩＣチップ１ａは、ＩＣチップ１ａの外部との通信を行う通信インターフェイス部１ａｅを備えている。ＩＣチップ１ａは、中央演算処理装置１ａａと、ＲＡＭ１ａｂと、ＲＯＭ１ａｃと、データ記憶部１ａｄと、通信インターフェイス部１ａｅとをモジュール化して構成することができる。
【００２７】
非接触キー１は、ＩＣチップ１ａの通信インターフェイス部１ａｅと接続したコイル状のアンテナ部１ｂが、電気錠２側からの電波を受信することで、アンテナ部１ｂに発生する電流により、非接触キー１の動作電力を確保することができる。これにより、非接触キー１は、たとえば、所定の電波を利用して、予めデータ記憶部１ａｄに記憶した個体識別情報を読取部２ａ側に提供することができる。
【００２８】
電気錠２の読取部２ａは、非接触キー１の個体識別情報を読み取ることが可能なものである。読取部２ａは、非接触キー１に対応して、種々のものを用いることができる。読取部２ａは、電波の授受により非接触キー１の個体識別情報を読み取ることが可能な非接触キーリーダを適宜に用いればよい。読取部２ａは、たとえば、玄関先の外壁などに設置することができる。読取部２ａは、使用者が外出時に所持する非接触キー１と非接触で、非接触キー１から個体識別情報を取得することができる。読取部２ａは、非接触キー１の通信インターフェイス部１ａｅから個体識別情報を取得可能としている。読取部２ａは、個体識別情報を第１通信部２ｂに出力する。
【００２９】
なお、電気錠２では、非接触キー１との間で相互認証を行うことができるように構成している。非接触キー１と電気錠２とは、電気錠２と非接触キー１との間で互いに暗黙的に知っている暗号アルゴリズムに基づき、共通の秘密鍵を使って暗号文を生成し、互いに暗号文をチェックし合うことで相互認証することができる。
【００３０】
第１通信部２ｂは、制御端末機器３と通信を行うものである。第１通信部２ｂは、読取部２ａで読み取った非接触キー１の個体識別情報を電気錠２から外部の制御端末機器３に送信することが可能としている。
【００３１】
第１通信部２ｂは、読取部２ａで読み取られた個体識別情報を外部の制御端末機器３に送信するものである。また、第１通信部２ｂは、制御端末機器３からの解錠信号を電気錠２で受信することが可能としている。第１通信部２ｂは、たとえば、特定小電力無線局となる無線機器を利用することができる。特定小電力無線局は、日本の総務大臣が告示する電波の形式および周波数並びに空中線電力に適合するものであり、免許を要しない小電力無線局の一種である。第１通信部２ｂは、特定小電力無線を利用して、非接触キー１からの個体識別情報を制御端末機器３に送信することができる。
【００３２】
錠前部２ｃは、電気的な制御により錠前の施錠や解錠を行うことが可能なものである。錠前部２ｃは、制御端末機器３から送信され、第１通信部２ｂで受信した解除信号に基づいて、解錠や施錠を行うことができる。錠前部２ｃは、玄関ドアなどに取り付けることができる。錠前部２ｃは、図示していないが、たとえば、室外側に鍵を差し込んで錠前を操作するシリンダーやドアの開閉を行うハンドルを備えた構成とすることができる。錠前部２ｃは、室内側に錠の開け閉めを行うサムターンやドアの開閉を行うハンドルを備えた構成とすることができる。錠前部２ｃは、ドアを閉めた時サムターンのツマミを回すとデッドボルトが錠本体から飛び出して、デッドボルトの先端がドア枠に取り付けたストライクに係って施錠され、鍵を用いることなく戸締まりを行うことができる。電気錠２では、錠前部２ｃのデッドボルトの飛び出しと収納とを、電動モータなどを用いて電気的に制御する構成とすることができる。また、錠前部２ｃは、デッドボルトに対向するドア枠に取り付けストライクの形状を電動で変形して、解錠を行う電気ストライクを備えた構成としてもよい。
【００３３】
撮像部２ｄは、使用者を撮像する機能を備えたものである。撮像部２ｄは、たとえば、撮像素子で撮像したデジタルデータの画像を取得できるデジタルカメラやビデオカメラを用いて構成することができる。撮像部２ｄは、玄関先の外壁や玄関ドアの近傍に設置することができる。撮像部２ｄは、読取部２ａが非接触キー１の個体識別情報を読み取った際、第１通信部２ｂから制御端末機器３側に使用者を撮像した画像を送信することができるように構成している。電気錠２は、読取部２ａが非接触キー１の個体識別情報を読み取った際、個体識別情報と撮像部２ｄが撮像した画像とを制御端末機器３に送信する。電気錠２は、制御端末機器３に個体識別情報と画像とを同時に送信してもよいし、個体識別情報と画像とを別途に送信してもよい。
【００３４】
撮像部２ｄは、電気錠２の本体と一体として構成するものでもよいし、電気錠２の本体から独立して別途の位置に配置するものでもよい。撮像部２ｄは、たとえば、インターホンの子機に備えたカメラを利用してもよいし、別途に設けた防犯カメラを利用して構成することもできる。
【００３５】
電気錠制御部２ｅは、錠前部２ｃの解錠と施錠とを電気的に制御可能なものである。電気錠制御部２ｅは、第１通信部２ｂが受信した制御端末機器３からの解除信号に基づいて、解錠するように錠前部２ｃを制御する。電気錠制御部２ｅは、図示していないタイマ部を備え、錠前部２ｃの解錠後、所定時間（たとえば、３秒）の経過後に錠前部２ｃを自動的に施錠するように制御するものでもよい。
【００３６】
電気錠２は、読取部２ａに加え、別途に設けた錠前部２ｃを解錠する解錠用釦や錠前部２ｃの駆動や制御を行う電源部を備えた構成としてもよい。また、電気錠２は、非接触キー１により錠前部２ｃの解錠と施錠とを行うものに加え、接触式キー、リモートコントロール式の機器やテンキー式の機器を適宜に組み合わせた構成とすることもできる。電気錠２は、たとえば、テンキー式の機器と組み合わせた構成により、テンキー式の機器で暗証番号を入力することで、施錠や解錠を行う構成としてもよい。
【００３７】
制御端末機器３の記憶部３ａは、使用者の非接触キー１の認証情報に対応する個体識別情報を、登録情報として記憶させることが可能に構成している。記憶部３ａは、制御部３ｄの動作を規定するプログラムを記憶させていてもよい。また、記憶部３ａは、電気錠２側への制御信号や電気錠２側からの通信信号のログを記憶させていてもよい。記憶部３ａは、電気的に書き換え可能な不揮発性の半導体メモリを用いて構成してもよいし、メモリカードなどの外部記録媒体を利用してもよい。記憶部３ａは、半導体メモリとして、たとえば、ＥＥＰＲＯＭなど不揮発性メモリにより構成することができる。
【００３８】
第２通信部３ｂは、電気錠２側との間で個体識別情報の受信や解錠信号の送信など通信信号の授受を行うことが可能なものである。表示部３ｃに表示された内容に基づいた操作が行われれば、第２通信部３ｂは、錠前部２ｃの解錠を行う解錠信号を電気錠２に送信することができる。第２通信部３ｂは、たとえば、特定小電力無線機器により構成することができる。第２通信部３ｂは、電気錠２から送信される使用者の解錠の情報を使用者が帰宅したことを示す帰宅情報として、移動体通信網などを介し、特定の携帯端末４に送信することができる。同様に、第２通信部３ｂは、電気錠２から送信される個体識別情報を利用した使用者の施錠の情報を外出情報として、特定の携帯端末４に送信することができる。第２通信部３ｂは、電気錠２との通信に特定小電力無線を利用することができる。第２通信部３ｂは、特定小電力無線として、たとえば、ＥＣＨＯＮＥＴ（登録商標）などの通信プロトコルを用いて通信信号を送信することができる。ＥＣＨＯＮＥＴ（登録商標）は、屋内の電灯線や無線を利用したホームネットワークの規格であり、通信回線とつながったゲートウェイを介して屋外からも接続できる。ＥＣＨＯＮＥＴ（登録商標）は、ＥＣＨＯＮＥＴ（登録商標）内にある制御端末機器３の第２通信部３ｂから電気錠２を制御するほか、屋外の携帯端末４からの遠隔操作により電気錠２を制御することも可能となる。
【００３９】
第２通信部３ｂは、電気錠２と直接通信する構成だけに限らず、図示しない中継器を介して、電気錠２と制御端末機器３との通信を行う構成とするものであってもよい。また、第２通信部３ｂは、特定小電力無線を行うものだけに限られず、たとえば、アメリカ合衆国の連邦通信委員会で規格化されたＲＪ（Registered jack）４５規格に沿った通信用のコネクタ部３ｅを備え、有線により通信を行う構成としてもよい。ＲＪ４５規格に沿ったコネクタ部３ｅでは、ＬＡＮ（Local Area Network）ケーブルやＩＳＤＮ（IntegratedServices Digital Network）のケーブルを接続することができる。
【００４０】
表示部３ｃは、電気錠２から送信された個体識別情報を表示することが可能なものである。表示部３ｃは、たとえば、液晶表示装置や有機ＥＬ表示装置などの表示装置により構成することができる。表示部３ｃは、タッチセンサ機能を有する液晶表示装置で構成することができる。すなわち、表示部３ｃは、個体識別情報などを表示させる表示機能と、表示部３ｃへの表示内容の選択や各種の設定を行うための操作入力部３ｆの操作入力機能とを合わせ持たせることができる。
【００４１】
表示部３ｃは、たとえば、使用者が外出する時に設定する「おでかけモード」や使用者の在宅時に設定する「在宅モード」の各モードに応じた表示を行うことができる。「おでかけモード」では、たとえば、留守中に来訪者があった場合、撮像部２ｄで来訪者を録画などする。「在宅モード」は、たとえば、「おでかけモード」の設定が解除され、来訪者を確認した場合、操作入力部３ｆを操作することにより、電気錠２の解錠を遠隔操作することができる。使用者は、帰宅後、表示部３ｃの内容にしたがって、在宅を選択することで、「おでかけモード」から「在宅モード」に切り替えることができる。
【００４２】
表示部３ｃは、たとえば、図示していない矩形板状の導光部材と、導光部材の背面側の反射層と、導光部材の前面側の液晶装置とを備えて構成することができる。導光部材は、導光部材の一端側に発光ダイオードを設けてバックライトとして機能するように構成することができる。液晶装置には、多数の画素を縦横にマトリクス状に配列したマトリクス表示型のものを用い画素の組み合わせによって文字や図形などを表示する。これにより、液晶装置は、電気錠２からの送信された個体識別情報や使用者の画像など錠前部２ｃの施錠や解錠に必要な情報を表示することができる。操作入力部３ｆは、液晶装置の前面に配置することができる。操作入力部３ｆは、透明なシート状部材に透明電極からなる接点部を多数個配列し、シート状部材に指などが触れた際にどの部位に触れたのかを出力する抵抗感圧方式のタッチスイッチで構成することができる。なお、操作入力部３ｆは、タッチセンサ機能を有する液晶表示装置で構成するだけではなく、押釦により構成してもよい。
【００４３】
制御部３ｄは、第２通信部３ｂや表示部３ｃを制御することが可能なものである。制御部３ｄは、電気錠２からの個体識別情報と、記憶部３ａに記憶された個体識別情報とを比較する比較部を内蔵した構成とすることができる。制御部３ｄは、電気錠２から送信された使用者の顔の画像と、記憶部３ａに記憶された使用者の顔の画像とを比較部で比較する構成とすることができる。比較部では、たとえば、デジタル画像から顔のパーツの相対的な位置や大きさ、目、鼻、ほお骨やあごの形など目立つ特徴を抽出する。比較部は、テンプレートマッチング技法などにより、電気錠２から送信された使用者の顔の画像における特徴と、予め記憶部３ａに記憶した顔の画像における特徴とを比較して、一致の有無を判定することができる。また、制御部３ｄは、制御部３ｄが随時に時刻を監視できるように計時機能部を備えていることが好ましい。制御部３ｄは、表示部３ｃにおける液晶装置の駆動やバックライトとなる発光ダイオードの点灯を制御する構成としてもよい。制御部３ｄは、マイクロコンピュータなどにより構成することができる。制御部３ｄは、マイクロコンピュータで構成するものだけでなく、ロジック回路で構成するものでもよい。
【００４４】
制御部３ｄは、電気錠２が施錠状態にあるか、解錠状態にあるかを、表示部３ｃに表示させることができる。また、制御部３ｄは、第２通信部３ｂを介して入力された個体識別情報に基づいて、使用者が外出中であるか在宅中であるかを判別し、在宅履歴を記憶部３ａに記憶する構成としてもよい。制御部３ｄは、電気錠２の錠前部２ｃが施錠状態にある場合、表示部３ｃに表示された解錠を行う内容に基づいて使用者が操作入力部３ｆを操作することにより、電気錠２を解錠する。同様に、制御部３ｄは、電気錠２の錠前部２ｃが解錠状態にある場合、表示部３ｃに表示された施錠を行う内容に基づいて使用者が操作入力部３ｆを操作することにより、電気錠２を施錠する。制御部３ｄは、読取部２ａが非接触キー１から読み取った個体識別情報が入力されると、読み取った個体識別情報と登録された個体識別情報とを比較部が比較する。すなわち、制御端末機器３は、電気錠２から送信された個体識別情報と記憶部３ａに予め記憶された個体識別情報とが一致した場合、解除信号を自動的に電気錠２に送信するように設定することもできる。また、制御部３ｄは、記憶部３ａに記憶した特定の使用者の携帯端末４に、電気錠２の解錠と使用者の画像とを通知する。
【００４５】
ここで、制御端末機器３は、有線により外部と通信が行えるように、コネクタ部３ｅを備えていることが好ましい。制御端末機器３は、コネクタ部３ｅを介して受信した通信信号を制御する通信制御部３ｈを備えていることが好ましい。また、制御端末機器３は、図１に示すように、薄型の直方体状に形成された箱体３０ａを備えた構成とすることができる。制御端末機器３は、たとえば、リビングの壁など、使用者の視界に入りやすい宅内の適宜な位置に配置することができる。箱体３０ａの前面には、タッチセンサ機能を有する液晶表示装置で構成する表示部３ｃを備えている。液晶表示装置のタッチスイッチが操作入力部３ｆとして機能する。また、箱体３０ａの前面には、表示部３ｃの側方に、制御端末機器３の駆動を開始するための開始スイッチ３０ｂを設けている。箱体３０ａの前面には、表示部３ｃへの表示を強制的に終了させるための終了スイッチ３０ｃを設けている。なお、制御端末機器３は、設定項目の変更や表示部３ｃの表示内の切り替えなどを、液晶表示装置のタッチセンサでも行えるようにしている。
【００４６】
制御端末機器３は、箱体３０ａの側面にアンテナ３ｂａを備えている。アンテナ３ｂａは、第２通信部３ｂと電気的に接続している。制御端末機器３のアンテナ３ｂａは、箱体３０ａの側面に沿って回転させることで箱体３０ａの側面側から上方に立設させたり、側面側に当接させたりすることができるように回転自在に構成している。なお、制御端末機器３は、図示していない電池を内蔵するように構成している。制御端末機器３は、内蔵した電池の電力により駆動する構造だけでなく、外部から供給される電力により駆動する構造としてもよい。
【００４７】
制御端末機器３は、電気錠２や携帯端末４との間で通信を行う専用機器として構成することができる。また、制御端末機器３は、インターホンの親機や家庭内の電力使用量を計測して表示する電力量表示装置などと兼用して構成することもできる。
【００４８】
なお、制御端末機器３は、よりセキュリティを高めるために、窓の開閉を検知する開閉検知センサや窓ガラスの衝撃を検知する衝撃センサを検知する人体検知センサなどと電気的に接続させていてもよい。電気錠システム１０では、開閉検知センサや衝撃センサなどの各種センサが異常を検知すると、異常検知情報を制御端末機器３に送信するように構成することもできる。
【００４９】
携帯端末４は、移動体通信網などを介して、制御端末機器３から送信されるメッセージが受信可能なものである。携帯端末４は、たとえば、携帯電話機などを用いることができる。携帯端末４は、無線により、移動体通信網を構成する基地局との間で通信を行う端末通信部４ａと、たとえば、液晶パネルなどの端末表示部４ｂとを備えていればよく、必ずしも携帯電話機だけに限られるものではない。携帯端末４は、所定の時間間隔で移動体通信網に接続されたメールサーバとの間で通信を行う。携帯端末４は、メールサーバとの間の通信により、携帯端末４宛に送信された電子メールを受信する電子メール機能を備えた構成とすることができる。携帯端末４は、制御端末機器３側からの電子メールがメールサーバに届くと、端末表示部４ｂに電子メールが届いた旨の通知を行う。その後、携帯端末４の使用者は、携帯端末４を操作することで、電子メールの内容を端末表示部４ｂに表示させることができる。
【００５０】
以下では、本実施形態の電気錠システム１０の動作について説明する。
【００５１】
電気錠２は、定期的に、読取部２ａによって非接触キー１の個体識別情報が取得されたかどうかを判断する。電気錠２は、非接触キー１が読取部２ａの近傍にかざされ、読取部２ａが個体識別情報を読み取ると、個体識別情報と撮像部２ｄで撮像した使用者の顔の画像とを制御端末機器３に送信する。図３では、電気錠２から制御端末機器３への実線の矢印で、個体識別情報と画像との送信を例示している。
【００５２】
制御端末機器３は、電気錠２から送信された個体識別情報が、記憶部３ａに登録された登録情報と一致するか否かを制御部３ｄで判別する。制御端末機器３は、個体識別情報と登録情報が一致しない場合、電気錠２の錠前部２ｃを解錠させない。また、制御端末機器３は、個体識別情報と登録情報が一致する場合でも、電気錠２から送信された使用者の顔の画像と記憶部３ａに予め記憶された使用者の顔の画像とが一致しないと、電気錠２の錠前部２ｃを解錠させないように構成していることが好ましい。制御端末機器３は、錠前部２ｃを解錠しない場合、個体識別情報の再入力待ち状態とする。制御端末機器３は、錠前部２ｃを解錠しない場合、画像を特定の使用者の携帯端末４に送信するように設定することができる。制御端末機器３は、錠前部２ｃを解錠しない場合、画像に加えて個体識別情報を特定の使用者の携帯端末４に送信するように設定することもできる。また、制御端末機器３は、錠前部２ｃを解錠しない場合、個体識別情報や画像を特定の使用者の携帯端末４に送信しないように設定することもできる。
【００５３】
制御端末機器３では、個体識別情報と登録情報が一致し、且つ電気錠２から送信された使用者の顔の画像と記憶部３ａに記憶された使用者の顔の画像とが一致した場合、電気錠２に解錠情報を送信する。図３では、制御端末機器３から電気錠２への実線の矢印で、解錠信号の送信を例示している。電気錠２は、第１通信部２ｂが解錠信号を受信すると、電気錠制御部２ｅが錠前部２ｃを制御して解錠を行う。
【００５４】
制御端末機器３は、読取部２ａが非接触キー１の個体識別情報を読み取った際、記憶部３ａに記憶した特定の使用者の携帯端末４に、使用者による電気錠２の解錠と、撮像部２ｄで撮像された画像とを電子メールにより通知する。制御端末機器３は、撮像部２ｄが撮像した画像および個体識別情報を、特定の携帯端末４へ向けた電子メールを作成する。その後、制御端末機器３は、移動体通信網のメールサーバに電子メールを送信する。制御端末機器３は、予め記憶させる特定の使用者の携帯端末４が１台だけに限られず、複数台の携帯端末４に通知するように構成することもできる。図３では、制御端末機器３から携帯端末４への実線の矢印で、電子メールの送信を例示している。
【００５５】
本実施形態の電気錠システム１０では、たとえば、４枚の非接触キー１を予め登録している。１つ目の非接触キー１は、父親が保有している旨を登録している。２つ目の非接触キー１は、母親が保有している旨を登録している。３つ目の非接触キー１は、子供が保有している旨を登録している。４つ目の非接触キーは、祖父が保有している旨を登録している。また、制御端末機器３は、各非接触キー１に対応した使用者の情報を登録している。
【００５６】
制御端末機器３は、読取部２ａが父親や母親の非接触キー１を読み取った際、電子メールを送信しない構成としている。これに対し、制御端末機器３は、読取部２ａが子供の保有する非接触キー１を読み取った際、電子メールの送信先として父親の携帯端末４を設定している。また、制御端末機器３は、読取部２ａが祖父の保有する非接触キー１を読み取った際、電子メールの送信先として母親の携帯端末４を設定している。電子メールには、たとえば、錠前部２ｃを解錠した時刻、非接触キー１の使用者である帰宅者の名前および撮像部２ｄが撮像した使用者の画像を含めることができる。本実施形態の電気錠システム１０では、電気錠２の解錠と使用者の画像を電子メールで通知する携帯端末４を適宜に設定することができる。
【００５７】
（実施形態２）
図４に示す本実施形態の電気錠システム１０は、図１の電気錠システム１０と同様の構成であって、マイクロホン２ｆにより取得した音声情報を電気錠２の解錠に利用する点が主として相違する。なお、実施形態１と同様の構成要素については、同一の符号を付して適宜に説明を省略している。
【００５８】
本実施形態の電気錠システム１０では、図４に示すように、電気錠２は、使用者の音声情報を取得するマイクロホン２ｆを備えている。電気錠２は、読取部２ａが非接触キー１の個体識別情報を読み取った際、個体識別情報とマイクロホン２ｆで取得した使用者の音声情報とを制御端末機器３に送信する。図４では、電気錠２から制御端末機器３への実線の矢印で、個体識別情報、使用者の顔の画像および音声情報の送信を例示している。
【００５９】
制御端末機器３は、電気錠２から送信された音声情報と記憶部３ａに予め記憶された使用者の音声情報とが一致した場合、解錠信号を電気錠２に送信する。図４では、制御端末機器３から電気錠２への実線の矢印で、解錠信号の送信を例示している。
【００６０】
本実施形態の電気錠システム１０では、非接触キー１の個体識別情報に加え、音声情報を電気錠２の解錠に利用することで、セキュリティを高めることが可能となる。
【００６１】
本実施形態の電気錠システム１０では、電気錠２がマイクロホン２ｆを備えることで、制御端末機器３との間で通話を行うことを可能にすることもできる。電気錠２は、インターホンの子機を利用することができる。制御端末機器３は、電気錠２のマイクロホン２ｆとの間で音声信号を送受信する通話部を備えていることが好ましい。制御端末機器３の通話部は、マイクロホン部３ｇ１と、スピーカ部３ｇ２とを備えた構成とすることができる。制御端末機器３は、インターホンの親機として利用することができる。
【００６２】
制御端末機器３は、電気錠２から送信されてきた音声情報と記憶部３ａに保存されている使用者の音声情報とを比較する。制御端末機器３は、パターンマッチングなどにより、使用者の音声情報から個人を認識する話者認証を行うことができる。
【００６３】
制御端末機器３では、個体識別情報と登録情報が一致し、且つ電気錠２から送信された音声情報と記憶部３ａに記憶する使用者の音声情報とが一致した場合、電気錠２に解錠情報を送信する。図４では、制御端末機器３から電気錠２への実線の矢印で、解錠信号の送信を例示している。電気錠２は、第１通信部２ｂが解錠信号を受信すると、電気錠制御部２ｅが錠前部２ｃを制御して解錠を行う。
【００６４】
制御端末機器３は、読取部２ａが非接触キー１の個体識別情報を読み取った際、記憶部３ａに記憶した特定の使用者の携帯端末４に、使用者による電気錠２の解錠と、撮像部２ｄで撮像された画像とを電子メールにより通知する。図４では、制御端末機器３から携帯端末４への実線の矢印で、電子メールの送信を例示している。なお、本実施形態の電気錠システム１０は、図４に示した構造だけに限られず、実施形態１の構成を適宜に用いて構成することもできる。
【００６５】
（実施形態３）
図５および図６に示す本実施形態の電気錠システム１０は、制御端末機器３が家庭内機器５との間で通信可能に構築している。なお、実施形態１，２と同様の構成要素については、同一の符号を付して適宜に説明を省略している。
【００６６】
本実施形態の電気錠システム１０では、図５および図６に示すように、制御端末機器３は、住戸内において、温湿度センサと第３通信部とを備えた家庭内機器５とも通信可能に構成している。制御端末機器３は、読取部２ａが非接触キー１の個体識別情報を読み取った際、記憶部３ａに記憶した特定の使用者の携帯端末４に、温湿度センサで測定した温湿度の情報を通知する。
【００６７】
本実施形態の電気錠システム１０では、温湿度センサで測定した温湿度の情報により、使用者の活動状況を把握することが可能となるため、セキュリティを高めることが可能となる。
【００６８】
本実施形態の電気錠システム１０では、特定小電力無線により、制御端末機器３と家庭内機器５とが通信可能に構成している。家庭内機器５は、たとえば、エアコンディショナなどの空調装置５１や空気質センサ機器５３で構成することができる。なお、空気質センサ機器５３は、たとえば、赤外線を利用して、空気中における二酸化炭素の濃度を検出することにより、空気の汚れを検知することが可能なものである。空調装置５１や空気質センサ機器５３は、温湿度センサを備え、温湿度センサで測定した温湿度の情報を第３通信部から制御端末機器３に送信できるように構成している。
【００６９】
第３通信部は、図示していないが、制御端末機器３の第２通信部３ｂと通信が行えればよい。したがって、家庭内機器５の第３通信部は、たとえば、特定小電力無線局となる無線機器を利用することができる。
【００７０】
本実施形態の電気錠システム１０では、たとえば、温湿度センサと第３通信部とを備えた家庭内機器５を戸建て住宅の部屋ごとに設けた場合、温湿度の情報により、主滞在室の温湿度を携帯端末４で把握することが容易となる。
【００７１】
また、本実施形態の電気錠システム１０では、非接触キー１に保有している使用者の個体識別情報と主滞在室とを予め登録している。制御端末機器３は、たとえば、読取部２ａが父親の非接触キー１を読み取った際、父親の主滞在室である書斎の温湿度の情報を送信するように設定している。また、制御端末機器３は、読取部２ａが母親の非接触キー１を読み取った際、母親の主滞在室であるリビングの温湿度の情報を送信するように設定している。制御端末機器３は、読取部２ａが子供の非接触キー１を読み取った際、子供の主滞在室である子供部屋の温湿度の情報を送信するように設定している。さらに、制御端末機器３は、読取部２ａが祖父の非接触キー１を読み取った際、祖父の主滞在室である祖父の部屋における温湿度の情報を送信するように設定している。制御端末機器３は、電子メールの送信先として、温湿度の情報を予め記憶した特定の使用者の携帯端末４に通知するように設定することができる。図６では、祖父の部屋に配置した空気質センサ機器５３から制御端末機器３への実線の矢印で、温湿度の情報の送信を例示している。
【００７２】
なお、本実施形態の電気錠システム１０は、図５および図６に示した構造だけに限られず、実施形態１および実施形態２の構成を適宜に用いて構成することもできる。
【００７３】
（実施形態４）
図７および図８に示す本実施形態の電気錠システム１０は、図１の電気錠システム１０と同様の構成であって、制御端末機器３は、住戸内において、通信可能な家庭内機器５の駆動を制限できるように構成した点が主として相違する。なお、実施形態１と同様の構成要素については、同一の符号を付して適宜に説明を省略している。
【００７４】
本実施形態の電気錠システム１０では、図７や図８に示すように、制御端末機器３は、住戸内において、第３通信部を備えた家庭内機器５とも通信可能としている。制御端末機器３は、読取部２ａが非接触キー１の個体識別情報を読み取った際、個体識別情報に応じて家庭内機器５の駆動を制限する。
【００７５】
これにより、本実施形態の電気錠システム１０では、非接触キー１の個別情報に応じて、家庭内機器５に対する使用者の権原の大きさで、家庭内機器５の駆動の制限を設定できるため、セキュリティを高めることが可能となる。
【００７６】
本実施形態の電気錠システム１０は、図示していない分電盤の分岐回路ごとに各家庭内機器５が接続されている。また、分電盤には、各家庭内機器５での電力量を測定する電力量測定装置を備えている。電力量測定装置は、測定した電力量を無線などにより制御端末機器３に通信可能な通信機能を有している。電力量測定装置と制御端末機器３とは、無線を利用して接続させるだけでなく、有線で接続してもよい。
【００７７】
制御端末機器３は、電力量測定装置により測定された電力量を表示することが可能に構成している。
【００７８】
家庭内機器５は、住宅で使用される各種の家電機器や設備機器などが挙げられる。図７の例では、家庭内機器５は、空調装置５１、照明器具５２、各種の空気質センサ機器５３や電磁調理器５４としている。
【００７９】
電力量測定装置は、たとえば、商用電源などから住戸内に供給される電力量を測定する。電力量測定装置は、測定した電力のデータを制御端末機器３側に送信する。制御端末機器３は、電力量測定装置から送信された電力のデータを、アンテナ３ｂａを介して第２通信部３ｂで受信できるように構成していることが好ましい。
【００８０】
本実施形態の電気錠システム１０は、制御端末機器３が電力量測定装置により測定された電力量を表示部３ｃで表示することができる。制御端末機器３は、家庭内機器５の待機時消費電力の値を記憶部３ａで記憶させることができる。制御端末機器３は、たとえば、記憶部３ａに記憶された待機時消費電力の値と、電力量測定装置により測定された現在の電力の測定値とを比較する比較部を有している。
【００８１】
電力量測定装置は、図示していないが、商用交流電源だけでなく、直流発電設備である太陽電池や家庭用燃料電池システムからの直流電力を、所定の交流電力に変換する電力変換器と電気的に接続させてもよい。電力量測定装置では、たとえば、電力変換器から出力される交流電力を測定部で測定し演算部で演算することにより、太陽電池や家庭用燃料電池システムの発電電力量を測定することもできる。また、電力量測定装置は、太陽電池の発電電力量だけでなく、系統連系により電力会社に売電する売電電力量を測定することもできる。
【００８２】
制御端末機器３に表示される表示情報は、制御端末機器３の操作によって切り替え可能であり、使用者は、錠前部２ｃにおける解錠状態や施錠状態を表示させたり、瞬時電力と積算電力とを切り替えて表示させたりすることができる。
【００８３】
制御端末機器３では、操作入力部３ｆを操作することで、現在の電力の値と待機時消費電力の値とを表示部３ｃに表示することもできる。
【００８４】
本実施形態の電気錠システム１０では、非接触キー１に保有している使用者の個体識別情報と、個体識別情報に応じて家庭内機器５の駆動を制限する情報とを予め登録している。制御端末機器３は、たとえば、読取部２ａが子供の非接触キー１を読み取った際、子供部屋の空調装置５１や照明器具５２の第３通信部と通信を行う。制御端末機器３は、読取部２ａが子供の非接触キー１を読み取った際、子供部屋の空調装置５１や照明器具５２の駆動を制限しないように設定している。そのため、子供は、子供部屋の空調装置５１や照明器具５２を自由に使用することができる。図７では、制御端末機器３から子供部屋に配置した空調装置５１や照明器具５２への実線の矢印で、駆動を制限する情報の送信を例示している。
【００８５】
また、制御端末機器３は、たとえば、読取部２ａが子供の非接触キー１を読み取った際、電磁調理器５４の第３通信部と通信を行う。制御端末機器３は、読取部２ａが子供の非接触キー１を読み取った際、電磁調理器５４の駆動を制限するように設定している。そのため、子供は、電磁調理器５４を自由に使用できないようになる。図８では、制御端末機器３から電磁調理器５４への実線の矢印で、電磁調理器５４の駆動を制限する情報の送信を例示している。
【００８６】
なお、本実施形態の電気錠システム１０は、図７および図８に示した構造だけに限られず、実施形態１ないし実施形態３の構成を適宜に用いて構成することもできる。
【符号の説明】
【００８７】
１  非接触キー
２  電気錠
２ａ  読取部
２ｂ  第１通信部
２ｃ  錠前部
２ｄ  撮像部
２ｆ  マイクロホン
３  制御端末機器
３ａ  記憶部
３ｂ  第２通信部
３ｃ  表示部
３ｄ  制御部
４  携帯端末
５  家庭内機器
１０  電気錠システム
【図１】
2015113605.tif 000003
【図２】
2015113605.tif 000004
【図３】
2015113605.tif 000005
【図４】
2015113605.tif 000006
【図５】
2015113605.tif 000007
【図６】
2015113605.tif 000008
【図７】
2015113605.tif 000009
【図８】
2015113605.tif 000010
【図９】
2015113605.tif 000011